(57)【要約】      （修正有）【課題】空き部屋のベランダの隅部の床面に敷いて設置するだけで、このベランダに鳩をよりつかないようにし巣を作ることを防止して、鳩の糞による悪臭等の鳩の巣作りに因る弊害を効果的に防止できる鳩のよりつき防止具を提供する。【解決手段】鳩のよりつき防止具１は、空き部屋のベランダの隅部の床面に敷いて設置できる大きさに形成した枠体２に、枠体の開口部３を斜めに横切る樹脂糸５を鳩の歩行が困難となる程度の間隔を設けた状態で且つ鳩の歩行が困難となる程度に床面から離間させた状態で枠体の上面部側に張着して構成されている。【選択図】図１
0003213126.tif 000002
【実用新案登録請求の範囲】
【請求項１】
開口部を上下方向に向けて空き部屋のベランダの隅部の床面に敷いて設置できる大きさに形成した木製又は塩化ビニールパイプ製又はプラスチック製又は比較的軽量な金属製の枠体に、該枠体の前記開口部を横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具。
【請求項２】
開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を斜めに横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具。
【請求項３】
開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を斜めジグザグ状に横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具。
【請求項４】
開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を左右方向の中心部で互いが交差するように互いが斜めジグザグ状にずらして横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具。
【請求項５】
開口部を上下方向に向けて空き部屋のベランダの隅部の床面に敷いて設置できる大きさに形成した木製又は塩化ビニールパイプ製又はプラスチック製又は比較的軽量な金属製の枠体に、該枠体の前記開口部を被う樹脂製のネットを鳩の歩行が困難となる程度に前記床面から離間させた状態で該枠体の上面部側に張着し、この樹脂製のネットを鳩の歩行が困難となる程度の間隔の網目で形成したことを特徴とする鳩のよりつき防止具。
【考案の詳細な説明】
【技術分野】
【０００１】
本考案は、空き部屋のベランダの隅部の床面に敷いて設置することによって、この空き部屋のベランダに鳩がよりつかなくなるようにし、鳩の巣作りに因る弊害を効果的に防止できるようにした鳩のよりつき防止具に関する。
【背景技術】
【０００２】
いわゆる大規模団地では、長期間空き室となる場合が有り、鳩が空き部屋のベランダを棲家として巣を作る弊害がある。そして鳩は空き部屋のベランダの隅に巣を作る習性がある。このため、例えば大規模団地の募集委託を受けた現地案内者がお客様を部屋に案内する際、鳩の糞による悪臭、害虫の発生等の被害があり、お客様がその部屋を敬遠して、いつまでも空き室のままで、結果卵がかえってしまい悪循環になっている状況があった。
【０００３】
このような状況下で、巣の撤去、ベランダの清掃を行い、いろいろな鳥害対策商品を使用して鳩がよりつかなくなるようにし、鳩に巣を作らせないよう対策を講じたが、一度卵が孵化した場所はその雛の実家になってしまい実効性に乏しいのが実情であった。
【考案の概要】
【考案が解決しようとする課題】
【０００４】
本考案は、前記した実情に鑑み、空き部屋のベランダの隅部の床面に敷いて設置するだけで、この空き部屋のベランダの隅部に鳩がよりつかなくなり、鳩が巣を作らなくなるようにし、鳩の糞による悪臭、害虫の発生等の、鳩の巣作りに因る弊害を効果的に防止できるようにする、鳩のよりつき防止具を提供することを目的とする。
【課題を解決するための手段】
【０００５】
前記した目的を達成するため、本考案（請求項１の考案）は、開口部を上下方向に向けて空き部屋のベランダの隅部の床面に敷いて設置できる大きさに形成した木製又は塩化ビニールパイプ製又はプラスチック製又は比較的軽量な金属製の枠体に、該枠体の前記開口部を横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具を提供する。
【０００６】
また、前記した目的を達成するため、本考案（請求項２の考案）は、開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を斜めに横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具を提供する。
【０００７】
また、前記した目的を達成するため、本考案（請求項３の考案）は、開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を斜めジグザグ状に横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具を提供する。
【０００８】
また、前記した目的を達成するため、本考案（請求項４の考案）は、開口部を上下方向に向けて空き部屋のベランダの隅部の床面に敷いて設置できる大きさに形成した矩形状の木製又は塩化ビニールパイプ製又はプラスチック製又は比較的軽量な金属製の枠体に、該枠体の前記開口部を左右方向の中心部で互いが交差するように互いが斜めジグザグ状にずらして横切る樹脂糸を鳩の歩行が困難となる程度の間隔を設けた状態で且つ鳩の歩行が困難となる程度に前記床面から離間させた状態で該枠体の上面部側に張着したことを特徴とする鳩のよりつき防止具を提供する。
【０００９】
さらに、前記した目的を達成するため、本考案（請求項５の考案）は、開口部を上下方向に向けて空き部屋のベランダの隅部の床面に敷いて設置できる大きさに形成した木製又は塩化ビニールパイプ製又はプラスチック製又は比較的軽量な金属製の枠体に、該枠体の前記開口部を被う樹脂製のネットを鳩の歩行が困難となる程度に前記床面から離間させた状態で該枠体の上面部側に張着し、この樹脂製のネットを鳩の歩行が困難となる程度の間隔の網目で形成したことを特徴とする鳩のよりつき防止具を提供する。
【考案の効果】
【００１０】
本考案に係る鳩のよりつき防止具によれば、空き部屋のベランダの隅部の床面に敷いて設置するだけで、鳩の歩行を困難にする樹脂糸又は樹脂製のネットによって、鳩が歩行に違和感を覚え寄り付かなくなるため、この空き部屋のベランダの隅部に鳩が巣を作らなくなる。よって、鳩の糞による悪臭、害虫の発生等の、鳩の巣作りに因る弊害を簡単かつ効果的に防止できる。しかも、本考案に係る鳩のよりつき防止具は、鳩の身体を傷つけず、鳩の命を奪うことなく、鳩のよりつきを防止して、鳩に因る弊害を効果的に防止できるため、動物愛護の精神からも優れている。
【図面の簡単な説明】
【００１１】
【図１】本考案の第一実施形態の概略斜視図である。
【図２】図１の概略縦断面図である。
【図３】本考案の第二実施形態の概略平面図である。
【考案を実施するための形態】
【００１２】
本考案の実施形態を示した図面に基づき説明する。図１、図２は本考案の第一実施形態を示し、図３は本考案の第二実施形態を示している。
【００１３】
図１〜図３に示した第一及び第二実施形態の鳩のよりつき防止具１は、開口部３を上下方向に向けて空き部屋のベランダの隅部の床面に敷いて設置できる大きさに形成した矩形状の木製の枠体２に、該枠体２の前記開口部３を斜めに横切る樹脂糸５を鳩の歩行が困難となる程度の間隔（約５ｃｍ間隔）を設けた状態で且つ鳩の歩行が困難となる程度に前記床面Ｆから離間させた状態で該枠体２の上面部側に張着して構成してある。
【００１４】
前記枠体２は、床面Ｆに敷いて設置した際の高さ幅を約３ｃｍ（好ましくは約３ｃｍ以上。）に形成してある。枠体２をこの高さ幅に形成したことによって、枠体２の上面部側に張着された樹脂糸５は、前記床面Ｆから約３ｃｍ（好ましくは約３ｃｍ以上）離間させた状態で該枠体２の上面部側に張着され、樹脂糸５の張着間隔と相まって、鳩の歩行が困難となるようにし、鳩が歩行に違和感を覚え寄り付かなくなるようにしてある。
【００１５】
前記枠体２の材質は、木材が軽量で適しているが、木製に限定されるものではなく、プラスチック製やアルミ材等比較的軽量な金属製でも良い。また、前記枠体２は、塩化ビニールパイプで形成したものでも良い。鳩はベランダの隅部に巣を作る習性があるため、枠体２の大きさや形状は、空き部屋のベランダの隅部の床面に敷いて設置するのに適した大きさや形状にしてある。図１に示した実施例の枠体２は、幅が約４５ｃｍ、奥行が約９０ｃｍの矩形状に形成してある。また、図３に示した実施例の枠体２は、幅が約６０ｃｍ、奥行が約９０ｃｍの矩形状に形成してある。しかし、枠体２の大きさは、設置場所に応じて適宜変更可能である。また、枠体２の形状は、図示したような矩形状に限定されるものではなく、ベランダの隅部の床面に敷いて設置するのに適した三角形状でも良い。
【００１６】
樹脂糸５は、この実施例ではナイロンテグス４号の釣糸を用いている。本考案では、金属製のワイヤー等を用いず、樹脂糸を用いている。これは床面に敷いて設置した鳩のよりつき防止具１内に入った鳩の身体をなるべく傷つけないようにするためである。
【００１７】
図１に示した第一実施形態の鳩のよりつき防止具１は、枠体２の前記開口部３を斜めジグザグ状に横切る樹脂糸５を鳩の歩行が困難となる程度の間隔（約５ｃｍの間隔）を設けた状態で且つ鳩の歩行が困難となる程度に前記床面Ｆから離間（約３ｃｍ以上離間）させた状態で該枠体２の上面部側に張着してある。具体的には、少なくとも一方（左右の）の対向する枠部材の上面部側に釘やビス等の係止具６を約５ｃｍ間隔で止着し、この係止具６を介して樹脂糸５が該枠体２の前記開口部３を斜めジグザグ状に横切るように該枠体２の上面部側に張着してある。
【００１８】
図３に示した第二実施形態の鳩のよりつき防止具１は、樹脂糸５の張着方法を除き第一実施形態の鳩のよりつき防止具１と実質的に同じである。この第二実施形態の鳩のよりつき防止具１は、枠体２の前記開口部３を左右方向の中心部で互いが交差するように互いが斜めジグザグ状にずらして横切る樹脂糸５を鳩の歩行が困難となる程度の間隔（約５ｃｍの間隔）を設けた状態で且つ鳩の歩行が困難となる程度に前記床面Ｆから離間（約３ｃｍ以上離間）させた状態で該枠体２の上面部側に張着してある。具体的には、少なくとも一方（左右の）の対向する枠部材の上面部側に釘やビス等の係止具６を約５ｃｍ間隔で止着し、一方の樹脂糸５を約５ｃｍ間隔の係止具６に一つずつ空けて係止した斜めジグザグ状に張着し、他方の樹脂糸５を約５ｃｍ間隔の係止具６の空いた係止具６に上下方向にずらして係止した斜めジグザグ状に張着することによって、樹脂糸５が該枠体２の前記開口部３を左右方向の中心部で互いが交差するように互いが斜めジグザグ状にずらして横切るように該枠体２の上面部側に張着してある。
【００１９】
なお、図示してないが、前記枠体２に、該枠体２の開口部３を被う樹脂製のネットを鳩の歩行が困難となる程度に前記床面から離間させた状態で該枠体の上面部側に張着して、鳩の巣作り防止具を構成しても良い。この樹脂製のネットは鳩の歩行が困難となる程度の間隔の網目で形成される。例えば、約５ｃｍから約８ｃｍ程度の間隔の網目のポリエチレン製のネットを用いることができる。
【００２０】
使用に際しては、本考案の鳩のよりつき防止具１を空き部屋のベランダの隅部の床面に敷いて設置するだけで良い。鳩は空き部屋のベランダの隅に巣を作る習性がある。本考案の鳩のよりつき防止具１は、重量が軽く移動が容易なため、巣を作る場所に簡単に移動でき、設置できる。
【符号の説明】
【００２１】
１  鳩のよりつき防止具
２  枠体
３  枠体の開口部
５  樹脂糸
６  係止具（釘や固定ビス）
Ｆ  ベランダの床面
【図１】
0003213126.tif 000003
【図２】
0003213126.tif 000004
【図３】
0003213126.tif 000005